(57)【特許請求の範囲】
【請求項１】
ナノろ過膜を用いて被処理水の処理を行うナノろ過膜処理手段と、
逆浸透膜を用いて前記ナノろ過膜処理手段からのナノろ過膜透過水の処理を行う逆浸透膜処理手段と、
前記ナノろ過膜処理手段の前段において前記ナノろ過膜を透過するスライム抑制剤を供給するスライム抑制剤供給手段と、
を備え、
前記ナノろ過膜を透過するスライム抑制剤が、臭素系酸化剤、もしくは臭素化合物と塩素系酸化剤との反応物と、スルファミン酸化合物と、を含む薬剤である次亜臭素酸安定化組成物であり、
前記臭素系酸化剤が、臭素、塩化臭素、次亜臭素酸のうち少なくとも１つであり、
前記臭素化合物が、臭化ナトリウム、臭化カリウム、臭化リチウムのうち少なくとも１つであり、
前記塩素系酸化剤が、次亜塩素酸またはその塩であり、
前記スルファミン酸化合物が、スルファミン酸またはその塩であることを特徴とするろ過処理システム。
【請求項２】
請求項１に記載のろ過処理システムであって、
前記ナノろ過膜処理手段からのナノろ過膜濃縮水および前記逆浸透膜処理手段からの逆浸透膜濃縮水のうち少なくとも１つを、前記ナノろ過膜処理手段の前段に返送する返送手段を備えることを特徴とするろ過処理システム。
【請求項３】
ナノろ過膜を用いて被処理水の処理を行うナノろ過膜処理工程と、
逆浸透膜を用いて前記ナノろ過膜処理工程からのナノろ過膜透過水の処理を行う逆浸透膜処理工程と、
前記ナノろ過膜処理工程の前段において前記ナノろ過膜を透過するスライム抑制剤を供給するスライム抑制剤供給工程と、
を含み、
前記ナノろ過膜を透過するスライム抑制剤が、臭素系酸化剤、もしくは臭素化合物と塩素系酸化剤との反応物と、スルファミン酸化合物と、を含む薬剤である次亜臭素酸安定化組成物であり、
前記臭素系酸化剤が、臭素、塩化臭素、次亜臭素酸のうち少なくとも１つであり、
前記臭素化合物が、臭化ナトリウム、臭化カリウム、臭化リチウムのうち少なくとも１つであり、
前記塩素系酸化剤が、次亜塩素酸またはその塩であり、
前記スルファミン酸化合物が、スルファミン酸またはその塩であることを特徴とするろ過処理方法。
【請求項４】
請求項３に記載のろ過処理方法であって、
前記ナノろ過膜処理工程からのナノろ過膜濃縮水および前記逆浸透膜処理工程からの逆浸透膜濃縮水のうち少なくとも１つを、前記ナノろ過膜処理工程の前段に返送する返送工程を含むことを特徴とするろ過処理方法。
【発明の詳細な説明】
【技術分野】
【０００１】
本発明は、ナノろ過膜を用いる膜ろ過処理の後に逆浸透膜処理を行うろ過処理システムおよびろ過処理方法に関する。
【背景技術】
【０００２】
海水から工業用水や飲料水等の淡水を得る方法として、例えば、特許文献１には、海水をまずナノろ過膜（ＮＦ膜）で処理した後、その透過水を逆浸透膜処理して淡水を得る方法が記載されている。
【０００３】
このような処理において、スライムの生成を抑制する目的で、通常は次亜塩素酸を原水中に添加する。しかし、前段のナノろ過膜処理の透過水中に次亜塩素酸が残留するので、後段で逆浸透膜による逆浸透膜処理を行う場合には、逆浸透膜処理装置に次亜塩素酸が流入してしまう。一般的に広く使用されるポリアミド製の逆浸透膜は次亜塩素酸に弱く、次亜塩素酸にさらされると逆浸透膜が劣化してしまうという問題がある。また、ナノろ過膜についても、材質によっては、次亜塩素酸により劣化してしまうという問題がある。
【０００４】
そのため、ナノろ過膜処理または逆浸透膜処理の前段で還元剤を添加したり、活性炭を用いたりして残留した次亜塩素酸を除去する必要があった。その上で、ナノろ過膜および逆浸透膜でのスライム生成を抑制するために、再度これらの膜を劣化させにくいスライム抑制剤（殺菌剤）を添加する必要があった。
【先行技術文献】
【特許文献】
【０００５】
【特許文献１】特開２００２−２８２８５５号公報
【発明の概要】
【発明が解決しようとする課題】
【０００６】
本発明の目的は、被処理水をナノろ過膜処理後、逆浸透膜処理するろ過処理において、簡易な方法でナノろ過膜および逆浸透膜のスライム抑制（殺菌）を行うことができるろ過処理システムおよびろ過処理方法を提供することにある。
【課題を解決するための手段】
【０００７】
本発明は、ナノろ過膜を用いて被処理水の処理を行うナノろ過膜処理手段と、逆浸透膜を用いて前記ナノろ過膜処理手段からのナノろ過膜透過水の処理を行う逆浸透膜処理手段と、前記ナノろ過膜処理手段の前段において前記ナノろ過膜を透過するスライム抑制剤を供給するスライム抑制剤供給手段と、を備え、前記ナノろ過膜を透過するスライム抑制剤が、臭素系酸化剤、もしくは臭素化合物と塩素系酸化剤との反応物と、スルファミン酸化合物と、を含む薬剤である次亜臭素酸安定化組成物であり、前記臭素系酸化剤が、臭素、塩化臭素、次亜臭素酸のうち少なくとも１つであり、前記臭素化合物が、臭化ナトリウム、臭化カリウム、臭化リチウムのうち少なくとも１つであり、前記塩素系酸化剤が、次亜塩素酸またはその塩であり、前記スルファミン酸化合物が、スルファミン酸またはその塩である、ろ過処理システムである。
【０００８】
前記ろ過処理システムにおいて、前記ナノろ過膜処理手段からのナノろ過膜濃縮水および前記逆浸透膜処理手段からの逆浸透膜濃縮水のうち少なくとも１つを、前記ナノろ過膜処理手段の前段に返送する返送手段を備えることが好ましい。
【０００９】
本発明は、ナノろ過膜を用いて被処理水の処理を行うナノろ過膜処理工程と、逆浸透膜を用いて前記ナノろ過膜処理工程からのナノろ過膜透過水の処理を行う逆浸透膜処理工程と、前記ナノろ過膜処理工程の前段において前記ナノろ過膜を透過するスライム抑制剤を供給するスライム抑制剤供給工程と、を含み、前記ナノろ過膜を透過するスライム抑制剤が、臭素系酸化剤、もしくは臭素化合物と塩素系酸化剤との反応物と、スルファミン酸化合物と、を含む薬剤である次亜臭素酸安定化組成物であり、前記臭素系酸化剤が、臭素、塩化臭素、次亜臭素酸のうち少なくとも１つであり、前記臭素化合物が、臭化ナトリウム、臭化カリウム、臭化リチウムのうち少なくとも１つであり、前記塩素系酸化剤が、次亜塩素酸またはその塩であり、前記スルファミン酸化合物が、スルファミン酸またはその塩である、ろ過処理方法である。
【００１０】
前記ろ過処理方法において、前記ナノろ過膜処理工程からのナノろ過膜濃縮水および前記逆浸透膜処理工程からの逆浸透膜濃縮水のうち少なくとも１つを、前記ナノろ過膜処理工程の前段に返送する返送工程を含むことが好ましい。
【発明の効果】
【００１１】
本発明では、被処理水をナノろ過膜処理後、逆浸透膜処理するろ過処理において、簡易な方法でナノろ過膜および逆浸透膜のスライム抑制（殺菌）を行うことができるろ過処理システムおよびろ過処理方法を提供することができる。
【図面の簡単な説明】
【００１２】
【図１】本発明の実施形態に係るろ過処理システムの一例を示す概略構成図である。
【図２】本発明の実施形態に係るろ過処理システムの他の例を示す概略構成図である。
【発明を実施するための形態】
【００１３】
本発明の実施の形態について以下説明する。本実施形態は本発明を実施する一例であって、本発明は本実施形態に限定されるものではない。
【００１４】
＜ろ過処理システムおよびろ過処理方法＞
本発明の実施形態に係るろ過処理システムの一例の概略を図１に示し、その構成について説明する。ろ過処理システム１は、ナノろ過膜処理手段としてナノろ過膜を備えるナノろ過膜処理装置１２と、逆浸透膜処理手段として逆浸透膜を備える逆浸透膜処理装置１４とを備える。ろ過処理システム１は、原水槽１０と、ナノろ過膜透過水槽１６とを備えてもよい。
【００１５】
図１のろ過処理システム１において、原水槽１０の入口には原水配管２４が接続され、原水槽１０の出口とナノろ過膜処理装置１２の入口は、ポンプ１８を介して原水供給配管２６により接続されている。ナノろ過膜処理装置１２の透過水出口とナノろ過膜透過水槽１６の入口は、ナノろ過膜透過水配管２８により接続され、ナノろ過膜透過水槽１６の出口と逆浸透膜処理装置１４の入口は、ポンプ２０を介してナノろ過膜透過水供給配管３０により接続されている。ナノろ過膜処理装置１２のナノろ過膜濃縮水出口にはナノろ過膜濃縮水配管３４が接続されている。逆浸透膜処理装置１４の逆浸透膜濃縮水出口には逆浸透膜濃縮水配管３６が接続され、逆浸透膜透過水出口には逆浸透膜透過水配管３２が接続されている。原水供給配管２６におけるポンプ１８の下流側には、スライム抑制剤供給手段としてスライム抑制剤供給配管３８が接続されている。
【００１６】
本実施形態に係るろ過処理方法およびろ過処理システム１の動作について説明する。
【００１７】
被処理水である原水は原水配管２４を通して、必要に応じて原水槽１０に貯留された後、ポンプ１８により原水供給配管２６を通してナノろ過膜処理装置１２に供給される。ここで、原水供給配管２６におけるポンプ１８の下流側において、スライム抑制剤がスライム抑制剤供給配管３８を通して原水に供給される（スライム抑制剤供給工程）。ナノろ過膜処理装置１２において、ナノろ過膜により被処理水から不溶解性成分等が除去される（ナノろ過膜処理工程）。スライム抑制剤は、原水槽１０において添加されてもよい。
【００１８】
ナノろ過膜処理されたナノろ過膜透過水は、ナノろ過膜透過水配管２８を通して、必要に応じてナノろ過膜透過水槽１６に貯留された後、ポンプ２０によりナノろ過膜透過水供給配管３０を通して逆浸透膜処理装置１４に供給される。逆浸透膜処理装置１４において、逆浸透膜により逆浸透膜処理される（逆浸透膜処理工程）。一方、ナノろ過膜処理で得られたナノろ過膜濃縮水は、ナノろ過膜濃縮水配管３４を通して排出される。
【００１９】
逆浸透膜処理で得られた逆浸透膜濃縮水は、逆浸透膜濃縮水配管３６を通して排出され、逆浸透膜透過水は、逆浸透膜透過水配管３２を通して排出される。
【００２０】
本実施形態に係るろ過処理方法およびろ過処理システムでは、ナノろ過膜処理装置１２の閉塞防止やスライム生成抑制、逆浸透膜処理装置１４の閉塞防止やスライム生成抑制等のために、ナノろ過膜処理装置１２の前段においてナノろ過膜を透過するとともに、次亜塩素酸に比べてナノろ過膜および逆浸透膜を劣化させないスライム抑制剤が供給される。ナノろ過膜処理装置１２の前段においてスライム抑制剤を添加すると、後段の逆浸透膜処理装置１４にも適度に殺菌成分が透過し、ナノろ過膜処理装置１２と共に逆浸透膜処理装置１４も殺菌することができる。また、前記スライム抑制剤は、次亜塩素酸に比べてナノろ過膜および逆浸透膜を劣化させにくいため、逆浸透膜処理装置１４の前段での還元剤の添加や活性炭塔等の設置を行わなくてもよい上に、逆浸透膜処理装置１４の前段でのスライム抑制剤の再添加を行わなくてもよく、システムが簡素化する。
【００２１】
ナノろ過膜（ＮＦ膜）は、操作圧力０．３〜１．５ＭＰａの評価条件の下で、塩化ナトリウム阻止率が５％以上９３％未満の膜を指す。ナノろ過膜のＮａＣｌ阻止率は９３％未満であることが好ましい。ナノろ過膜のＮａＣｌ阻止率が９３％未満であれば、スライム抑制剤が適度に後段に透過し、ナノろ過膜処理装置１２と共に逆浸透膜処理装置１４も殺菌することができる。ナノろ過膜のＮａＣｌ阻止率が９３％以上となると、スライム抑制剤がほとんど阻止されてしまい、後段の逆浸透膜処理装置１４を十分に殺菌することができない。
【００２２】
ナノろ過膜を透過するスライム抑制剤としては、添加したスライム抑制剤のうち５重量％以上が透過するものであればよく、特に制限はない。ナノろ過膜を透過するスライム抑制剤の具体例としては、臭素系酸化剤、もしくは臭素化合物と塩素系酸化剤との反応物と、スルファミン酸化合物と、を含む薬剤、または、臭素系酸化剤、もしくは臭素化合物と塩素系酸化剤との反応物と、スルファミン酸化合物との反応生成物を含む薬剤である次亜臭素酸安定化組成物；塩素系酸化剤とスルファミン酸化合物とを含む薬剤、または、塩素系酸化剤とスルファミン酸化合物との反応生成物を含む薬剤である次亜塩素酸安定化組成物；イソチアゾロン化合物；クロラミン化合物；ニトロアルコール化合物；ハロシアノアセトアミド化合物等が挙げられる。これらのナノろ過膜を透過するスライム抑制剤は、次亜塩素酸と比べて、ナノろ過膜および逆浸透膜を劣化させにくい。
【００２３】
イソチアゾロン化合物としては、例えば、２−メチル−４−イソチアゾリン−３−オン、２−エチル−４−イソチアゾリン−３−オン、２−オクチル−４−イソチアゾリン−３−オン、５−クロロ−２−メチル−４−イソチアゾリン−３−オン、５−クロロ−２−オクチル−４−イソチアゾリン−３−オン、４，５−ジクロロ−２−メチル−４−イソチアゾリン−３−オン、４，５−ジクロロ−２−オクチル−４−イソチアゾリン−３−オン、１，２−ベンゾイソチアゾリン−３−オン等が挙げられる。
【００２４】
クロラミン化合物としては、例えば、モノクロラミン、ジクロラミン等が挙げられる。
【００２５】
ニトロアルコール化合物としては、例えば、２−ブロモ−２−ニトロプロパン−１，３−ジオール、２−ブロモ−２−ニトロブタン−１，３−ジオール、３−ブロモ−３−ニトロペンタン−２，４−ジオール、２，２−ジブロモ−２−ニトロ−１−エタノール、２−ニトロ−１，３−プロパンジオール、トリス（ヒドロキシメチル）ニトロメタン、２−ブロモ−２−ニトロ−１，３−ジアセチルオキシプロパン、３，３−ジブロモ−３−ニトロ−２−プロパノール、２−クロロ−２−ニトロエタノール、２−クロロ−２−ニトロ−１，３−プロパンジオール、３−クロロ−３−ニトロ−２−プロパノール等が挙げられる。
【００２６】
ハロシアノアセトアミド化合物としては、例えば、２−ブロモ−３−ニトリロプロピオンアミド、２，２−ジブロモ−３−ニトリロプロピオンアミド（ＤＢＮＰＡ）、２−クロロ−２−ブロモ−３−ニトリロプロピオンアミド、２−クロロ−３−ニトリロプロピオンアミド、２，２−ジクロロ−３−ニトリロプロピオンアミド、Ｎ−メチル−２，２−ジブロモ−３−ニトリロプロピオンアミド、Ｎ−プロピル−２−クロロ−２−ブロモ−３−ニトリロプロピオンアミド等が挙げられる。
【００２７】
本実施形態に係るろ過処理方法およびろ過処理システムでは、上記スライム抑制剤として、「臭素系酸化剤」または「臭素化合物と塩素系酸化剤との反応物」と、「スルファミン酸化合物」と、を含む薬剤を使用することが好ましい。これにより、原水中で次亜臭素酸安定化組成物が生成すると考えられる。
【００２８】
また、本実施形態に係るろ過処理方法およびろ過処理システムでは、上記スライム抑制剤として、「臭素系酸化剤とスルファミン酸化合物との反応生成物」、または「臭素化合物と塩素系酸化剤との反応物と、スルファミン酸化合物と、の反応生成物」である次亜臭素酸安定化組成物を使用することが好ましい。
【００２９】
これらの次亜臭素酸安定化組成物により、ナノろ過膜および逆浸透膜の劣化を抑えつつ、ナノろ過膜処理装置１２と共に逆浸透膜処理装置１４も殺菌することができる。次亜臭素酸安定化組成物が逆浸透膜を劣化させることがほとんどないため、逆浸透膜処理装置１４の前段での還元剤の添加や活性炭塔等の設置を行わなくてもよい上に、逆浸透膜処理装置１４の前段でのスライム抑制剤の再添加を行わなくてもよく、システムが簡素化する。
【００３０】
具体的には本実施形態に係るろ過処理方法およびろ過処理システムでは、例えば、原水中に、「臭素」、「塩化臭素」または「臭化ナトリウムと次亜塩素酸との反応物」と、「スルファミン酸化合物」と、を供給する。
【００３１】
また、本実施形態に係るろ過処理方法およびろ過処理システムでは、例えば、原水中に、「臭素とスルファミン酸化合物との反応生成物」、「塩化臭素とスルファミン酸化合物との反応生成物」、または「臭化ナトリウムと次亜塩素酸との反応物と、スルファミン酸化合物と、の反応生成物」を供給する。
【００３２】
例えば、原水槽１０または原水供給配管２６において、原水に「臭素系酸化剤」または「臭素化合物と塩素系酸化剤との反応物」と、「スルファミン酸化合物」とを、またはこれらの反応生成物を薬注ポンプ等により注入すればよい。「臭素系酸化剤」または「臭素化合物と塩素系酸化剤との反応物」と、「スルファミン酸化合物」とは別々に添加してもよく、または、原液同士で混合させてから添加してもよい。
【００３３】
「臭素系酸化剤」または「臭素化合物と塩素系酸化剤との反応物」の当量に対する「スルファミン酸化合物」の当量の比は、１以上であることが好ましく、１以上２以下の範囲であることがより好ましい。「臭素系酸化剤」または「臭素化合物と塩素系酸化剤との反応物」の当量に対する「スルファミン酸化合物」の当量の比が１未満であると、有効成分が十分安定化しない可能性があり、２を超えると、製造コストが増加する場合がある。
【００３４】
原水中の有効ハロゲン濃度は有効塩素濃度換算で、１〜１０ｍｇ／Ｌの範囲であることが好ましい。この範囲であれば、後段の逆浸透膜処理装置１４を効率的に殺菌することができる。原水中の有効ハロゲン濃度が１ｍｇ／Ｌ未満であると、ナノろ過膜処理装置１２の後段で遊離ハロゲンが検出されない可能性があり、十分なスライム抑制効果を得ることができない場合がある。原水中の有効ハロゲン濃度が１０ｍｇ／Ｌより多いと、長期的に通水した場合、ナノろ過膜または逆浸透膜を劣化させる可能性があり、また、配管等の金属材料の腐食を引き起こす可能性がある。
【００３５】
臭素系酸化剤としては、臭素（液体臭素）、塩化臭素、次亜臭素酸、臭素酸、臭素酸塩等が挙げられる。
【００３６】
これらのうち、臭素を用いた「臭素とスルファミン酸化合物」または「臭素とスルファミン酸化合物との反応生成物」の製剤は、「次亜塩素酸と臭素化合物とスルファミン酸」の製剤および「塩化臭素とスルファミン酸」の製剤等に比べて、塩化物イオンが少なく、配管等の金属材料の腐食を引き起こす可能性が低いため、より好ましい。
【００３７】
すなわち、本実施形態に係るろ過処理方法およびろ過処理システムでは、原水中に、臭素と、スルファミン酸化合物とを存在させる、または臭素とスルファミン酸化合物との反応生成物を存在させることが好ましい。
【００３８】
臭素化合物としては、臭化ナトリウム、臭化カリウム、臭化リチウム、臭化アンモニウム及び臭化水素酸等が挙げられる。これらのうち、製剤コスト等の点から、臭化ナトリウムが好ましい。
【００３９】
塩素系酸化剤としては、例えば、塩素ガス、二酸化塩素、次亜塩素酸またはその塩、亜塩素酸またはその塩、塩素酸またはその塩、過塩素酸またはその塩、塩素化イソシアヌル酸またはその塩等が挙げられる。これらのうち、塩としては、例えば、次亜塩素酸ナトリウム、次亜塩素酸カリウム等の次亜塩素酸アルカリ金属塩、次亜塩素酸カルシウム、次亜塩素酸バリウム等の次亜塩素酸アルカリ土類金属塩、亜塩素酸ナトリウム、亜塩素酸カリウム等の亜塩素酸アルカリ金属塩、亜塩素酸バリウム等の亜塩素酸アルカリ土類金属塩、亜塩素酸ニッケル等の他の亜塩素酸金属塩、塩素酸アンモニウム、塩素酸ナトリウム、塩素酸カリウム等の塩素酸アルカリ金属塩、塩素酸カルシウム、塩素酸バリウム等の塩素酸アルカリ土類金属塩等が挙げられる。これらの塩素系酸化剤は、１種を単独で用いても、２種以上を組み合わせて用いてもよい。塩素系酸化剤としては、取り扱い性等の点から、次亜塩素酸ナトリウムを用いるのが好ましい。
【００４０】
スルファミン酸化合物は、以下の一般式（１）で示される化合物である。
Ｒ２ＮＳＯ３Ｈ      （１）
（式中、Ｒは独立して水素原子または炭素数１〜８のアルキル基である。）
【００４１】
スルファミン酸化合物としては、例えば、２個のＲ基の両方が水素原子であるスルファミン酸（アミド硫酸）の他に、Ｎ−メチルスルファミン酸、Ｎ−エチルスルファミン酸、Ｎ−プロピルスルファミン酸、Ｎ−イソプロピルスルファミン酸、Ｎ−ブチルスルファミン酸等の２個のＲ基の一方が水素原子であり、他方が炭素数１〜８のアルキル基であるスルファミン酸化合物、Ｎ，Ｎ−ジメチルスルファミン酸、Ｎ，Ｎ−ジエチルスルファミン酸、Ｎ，Ｎ−ジプロピルスルファミン酸、Ｎ，Ｎ−ジブチルスルファミン酸、Ｎ−メチル−Ｎ−エチルスルファミン酸、Ｎ−メチル−Ｎ−プロピルスルファミン酸等の２個のＲ基の両方が炭素数１〜８のアルキル基であるスルファミン酸化合物、Ｎ−フェニルスルファミン酸等の２個のＲ基の一方が水素原子であり、他方が炭素数６〜１０のアリール基であるスルファミン酸化合物、またはこれらの塩等が挙げられる。スルファミン酸塩としては、例えば、ナトリウム塩、カリウム塩等のアルカリ金属塩、カルシウム塩、ストロンチウム塩、バリウム塩等のアルカリ土類金属塩、マンガン塩、銅塩、亜鉛塩、鉄塩、コバルト塩、ニッケル塩等の他の金属塩、アンモニウム塩およびグアニジン塩等が挙げられる。スルファミン酸化合物およびこれらの塩は、１種を単独で用いても、２種以上を組み合わせて用いてもよい。スルファミン酸化合物としては、環境負荷等の点から、スルファミン酸（アミド硫酸）を用いるのが好ましい。
【００４２】
本実施形態に係るろ過処理方法およびろ過処理システムにおいて、さらにアルカリを存在させてもよい。アルカリとしては、水酸化ナトリウム、水酸化カリウム等の水酸化アルカリ等が挙げられる。低温時の製品安定性等の点から、水酸化ナトリウムと水酸化カリウムとを併用してもよい。また、アルカリは、固形でなく、水溶液として用いてもよい。
【００４３】
ナノろ過膜処理装置１２のナノろ過膜としては、ポリエーテルスルホン（ＰＥＳ）製、ピペラジンアミド製、酢酸セルロース製、ポリアミド製等の有機系のナノろ過膜（ＮＦ膜）が挙げられる。本実施形態に係るろ過処理方法およびろ過処理システムは、特に、ポリエーテルスルホン（ＰＥＳ）製、ピペラジンアミド製、酢酸セルロース製、ポリアミド製のナノろ過膜に好適に適用できる。これらの材質であれば、材質に関係なく次亜臭素酸安定化組成物を透過することができる。
【００４４】
逆浸透膜処理装置１４の逆浸透膜としては、ポリアミド系等の有機系の逆浸透膜（ＲＯ膜）等が挙げられる。逆浸透膜の膜材質がポリアミドであれば、次亜臭素酸安定化組成物による膜劣化がほとんど発生せず、かつ、高い阻止性能を発揮できる。
【００４５】
本実施形態に係るろ過処理方法およびろ過処理システムは、特に、逆浸透膜（ＲＯ膜）として昨今主流であるポリアミド系高分子膜に好適に適用することができる。ポリアミド系高分子膜は、酸化剤に対する耐性が比較的低く、遊離塩素等をポリアミド系高分子膜に連続的に接触させると、膜性能の著しい低下が起こる。しかしながら、本実施形態に係るろ過処理方法およびろ過処理システムではポリアミド高分子膜においても、このような著しい膜性能の低下はほとんど起こらない。
【００４６】
本実施形態に係るろ過処理方法およびろ過処理システムにおいて、被処理水である原水のｐＨが５．５以上であることが好ましく、６．０以上であることがより好ましく、６．５以上であることがさらに好ましい。原水のｐＨが５．５未満であると、逆浸透膜処理装置１４への給水（ナノろ過膜透過水）のｐＨが５．５未満となり、透過水量が低下する場合がある。また、原水のｐＨの上限値については、通常の逆浸透膜の適用上限ｐＨ（例えば、ｐＨ１０）以下であれば特に制限はないが、カルシウム等の硬度成分のスケール析出を考慮すると、ｐＨは例えば９．０以下で運転することが好ましい。本実施形態に係るろ過処理方法およびろ過処理システムを用いる場合、原水のｐＨが５．５以上で運転することにより、逆浸透膜処理装置１４の逆浸透膜の劣化、処理水（逆浸透膜透過水）の水質悪化を抑制し、十分なスライム抑制効果を発揮しつつ、十分な透過水量の確保も可能となる。
【００４７】
逆浸透膜処理装置１４において、逆浸透膜処理装置１４へのナノろ過膜透過水のｐＨ５．５以上でスケールが発生する場合には、スケール抑制のために分散剤をスライム抑制剤と併用してもよい。分散剤としては、例えば、ポリアクリル酸、ポリマレイン酸、ホスホン酸等が挙げられる。分散剤の給水（前ろ過処理水）への添加量は、例えば、濃縮水中の濃度として０．１〜１，０００ｍｇ／Ｌの範囲である。
【００４８】
また、分散剤を使用せずにスケールの発生を抑制するためには、例えば、逆浸透膜濃縮水中のシリカ濃度を溶解度以下に、カルシウムスケールの指標であるランゲリア指数を０以下になるように、逆浸透膜処理装置１４の回収率等の運転条件を調整することが挙げられる。
【００４９】
本実施形態に係るろ過処理方法およびろ過処理システムは、例えば、かん水、表流水、井戸水、海水、工場等からの排水等を処理対象とする。被処理水のＴＯＣは、例えば、０．１ｍｇ／Ｌ〜１０００ｍｇ／Ｌの範囲である。
【００５０】
本発明の実施形態に係るろ過処理システムの他の例の概略構成を図２に示す。図２のろ過処理システム３において、ナノろ過膜処理装置１２のナノろ過膜濃縮水出口と原水槽１０とは、返送手段としての濃縮水返送配管４２により接続されている。また、逆浸透膜処理装置１４の逆浸透膜濃縮水出口が返送手段としての濃縮水返送配管４４により濃縮水返送配管４２の途中と接続されている。濃縮水返送配管４２と濃縮水返送配管４４との接続点の上流側において、濃縮水返送配管４２にはナノろ過膜濃縮水配管４６が接続され、濃縮水返送配管４４には逆浸透膜濃縮水配管４８が接続されている。
【００５１】
本構成により、ナノろ過膜処理装置１２からのナノろ過膜濃縮水の少なくとも一部および逆浸透膜処理装置１４からの逆浸透膜濃縮水の少なくとも一部のうち少なくとも１つが、ナノろ過膜処理装置１２の前段である原水槽１０に返送される（返送工程）。これにより、スライム抑制剤の使用量を低減することができ、逆浸透膜透過水の回収率が向上する。
【００５２】
＜ろ過処理用組成物＞
本実施形態に係るろ過処理用組成物は、例えば、「臭素系酸化剤」または「臭素化合物と塩素系酸化剤との反応物」と、「スルファミン酸化合物」とを含有するものであり、さらにアルカリを含有してもよい。
【００５３】
また、本実施形態に係るろ過処理用組成物は、例えば、「臭素系酸化剤とスルファミン酸化合物との反応生成物」、または「臭素化合物と塩素系酸化剤との反応物と、スルファミン酸化合物と、の反応生成物」を含有するものであり、さらにアルカリを含有してもよい。
【００５４】
臭素系酸化剤、臭素化合物、塩素系酸化剤およびスルファミン酸化合物については、上述した通りである。
【００５５】
本実施形態に係るろ過処理用組成物としては、配管等の金属材料に対する腐食性が低く、臭素酸の副生が少ない等の点から、臭素と、スルファミン酸化合物とを含有するもの、または、臭素とスルファミン酸化合物との反応生成物を含有するものが好ましい。
【００５６】
本実施形態に係るろ過処理用組成物は、クロロスルファミン酸等の結合塩素系スライム抑制剤と比較すると、酸化力が高く、スライム抑制力、スライム剥離力が著しく高い。
【００５７】
本実施形態に係るろ過処理用組成物は、次亜塩素酸等の酸化剤とは異なり、逆浸透膜をほとんど劣化させない。また、次亜塩素酸等と同様に現場で濃度を測定することができるため、より正確な濃度管理が可能である。
【００５８】
組成物のｐＨは、例えば、１３．０超であり、１３．２超であることがより好ましい。組成物のｐＨが１３．０以下であると組成物中の有効ハロゲンが不安定になる場合がある。
【００５９】
ろ過処理用組成物中の臭素酸濃度は、５ｍｇ／ｋｇ未満であることが好ましい。ろ過処理用組成物中の臭素酸濃度が５ｍｇ／ｋｇ以上であると、処理水の水質が悪化する場合がある。
【００６０】
＜ろ過処理用組成物の製造方法＞
本実施形態に係るろ過処理用組成物は、例えば、臭素系酸化剤とスルファミン酸化合物とを混合する、または臭素化合物と塩素系酸化剤との反応物と、スルファミン酸化合物とを混合することにより得られ、さらにアルカリを混合してもよい。
【００６１】
臭素と、スルファミン酸化合物とを含有するろ過処理用組成物、または、臭素とスルファミン酸化合物との反応生成物を含有するろ過処理用組成物の製造方法としては、水、アルカリおよびスルファミン酸化合物を含む混合液に臭素を不活性ガス雰囲気下で添加して反応させる工程を含むことが好ましい。不活性ガス雰囲気下で添加して反応させることにより、組成物中の臭素酸イオン濃度がより低くなり、好ましい。
【００６２】
用いる不活性ガスとしては限定されないが、製造等の面から窒素およびアルゴンのうち少なくとも１つが好ましく、特に製造コスト等の面から窒素が好ましい。
【００６３】
臭素の添加の際の反応器内の酸素濃度は６％以下が好ましいが、４％以下がより好ましく、２％以下がさらに好ましく、１％以下が特に好ましい。臭素の反応の際の反応器内の酸素濃度が６％を超えると、反応系内の臭素酸の生成量が増加する場合がある。
【００６４】
臭素の添加率は、組成物全体の量に対して２５重量％以下であることが好ましく、１重量％以上２０重量％以下であることがより好ましい。臭素の添加率が組成物全体の量に対して２５重量％を超えると、反応系内の臭素酸の生成量が増加する場合がある。１重量％未満であると、殺菌力が劣る場合がある。
【００６５】
臭素添加の際の反応温度は、０℃以上２５℃以下の範囲に制御することが好ましいが、製造コスト等の面から、０℃以上１５℃以下の範囲に制御することがより好ましい。臭素添加の際の反応温度が２５℃を超えると、反応系内の臭素酸の生成量が増加する場合があり、０℃未満であると、凍結する場合がある。
【実施例】
【００６６】
以下、実施例および比較例を挙げ、本発明をより具体的に詳細に説明するが、本発明は、以下の実施例に限定されるものではない。
【００６７】
［安定化次亜臭素酸組成物ａの調製］
窒素雰囲気下で、液体臭素：１６．９重量％（ｗｔ％）、スルファミン酸：１０．７重量％、水酸化ナトリウム：１２．９重量％、水酸化カリウム：３．９４重量％、水：残分を混合して、組成物ａを調製した。組成物のｐＨは１４、有効ハロゲン濃度（有効塩素換算濃度）は７．５重量％であった。安定化次亜臭素酸組成物ａの詳細な調製方法は以下の通りである。
【００６８】
反応容器内の酸素濃度が１％に維持されるように、窒素ガスの流量をマスフローコントローラでコントロールしながら連続注入で封入した２Ｌの４つ口フラスコに１４３６ｇの水、３６１ｇの水酸化ナトリウムを加え混合し、次いで３００ｇのスルファミン酸を加え混合した後、反応液の温度が０〜１５℃になるように冷却を維持しながら、４７３ｇの液体臭素を加え、さらに４８％水酸化カリウム溶液２３０ｇを加え、組成物全体の量に対する重量比でスルファミン酸１０．７％、臭素１６．９％、臭素の当量に対するスルファミン酸の当量比が１．０４である、目的の組成物ａを得た。生じた溶液のｐＨは、ガラス電極法にて測定したところ、１４であった。生じた溶液の臭素含有率は、臭素をヨウ化カリウムによりヨウ素に転換後、チオ硫酸ナトリウムを用いて酸化還元滴定する方法により測定したところ１６．９％であり、理論含有率（１６．９％）の１００．０％であった。また、臭素反応の際の反応容器内の酸素濃度は、株式会社ジコー製の「酸素モニタＪＫＯ−０２  ＬＪＤＩＩ」を用いて測定した。なお、臭素酸濃度は５ｍｇ／ｋｇ未満であった。
【００６９】
［ろ過処理］
表１に示すそれぞれの分離膜を備える膜処理装置を用い、原水に上記安定化次亜臭素酸組成物ａを有効ハロゲン濃度で１０ｍｇ／Ｌ添加し、透過水の有効ハロゲン濃度を測定した。
【００７０】
有効ハロゲン濃度は、残留塩素測定装置（Ｈａｃｈ社製、「ＤＲ−４０００」）を使用してＤＰＤ法により測定し、有効塩素濃度換算したものである。分離膜のＮａＣｌ阻止率は、イオンクロマトグラフにより測定した。
【００７１】
（実験条件）
原水：ＮａＣｌ溶液（ＮａＣｌ濃度：５００ｍｇ／Ｌ）
運転圧力：０．７５ＭＰａ
原水ｐＨ：７
試験温度：２５℃
【００７２】
【表１】
0006534524.tif 000002
【００７３】
ＮａＣｌ阻止率９３％以下のナノろ過膜（ＮＦ膜）は安定化次亜臭素酸組成物ａを透過するが、９９％以上の逆浸透膜（ＲＯ膜）では安定化次亜臭素酸組成物ａが透過しなかった。
【００７４】
このように、被処理水をナノろ過膜処理後、逆浸透膜処理するろ過処理において、簡易な方法でナノろ過膜および逆浸透膜の殺菌を行うことができることが示唆された。
【００７５】
［安定化次亜臭素酸組成物ｂの調製］
臭化ナトリウム：１１重量％、１２％次亜塩素酸ナトリウム水溶液：５０重量％、スルファミン酸ナトリウム：１４重量％、水酸化ナトリウム：８重量％、水：残分を混合して、組成物ｂを調製した。組成物ｂのｐＨは１４、有効ハロゲン濃度（有効塩素換算濃度）は６重量％であった。組成物ｂの詳細な調製方法は以下の通りである。
【００７６】
反応容器に１７ｇの水を入れ、１１ｇの臭化ナトリウムを加え撹拌して溶解させた後、５０ｇの１２％次亜塩素酸ナトリウム水溶液を加え混合し、次いで１４ｇのスルファミン酸ナトリウムを加え撹拌して溶解させた後、８ｇの水酸化ナトリウムを加え撹拌し溶解させて目的の組成物ｂを得た。
【００７７】
［組成物ｃ］
安定化次亜臭素酸組成物ｂの各組成を水中に別々に添加した。
【００７８】
［組成物ｄ］
塩化臭素、スルファミン酸ナトリウム、水酸化ナトリウムを含有する組成物ｄを使用した。組成物ｄのｐＨは１４、有効ハロゲン濃度（有効塩素換算濃度）は７重量％であった。
【００７９】
［組成物ｅ］
１２％次亜塩素酸ナトリウム水溶液を使用した。
【００８０】
［組成物ｆ］
臭化ナトリウム：１５重量％、１２％次亜塩素酸ナトリウム水溶液：４２．４重量％、を水中に別々に添加した。
【００８１】
［組成物ｇ］
１２％次亜塩素酸ナトリウム水溶液：５０重量％、スルファミン酸：１０重量％、水酸化ナトリウム：８重量％、水：残分を混合して、組成物ｇを調製した。組成物ｇのｐＨは１４、有効ハロゲン濃度（有効塩素換算濃度）は６重量％であった。
【００８２】
［ＲＯ膜排除率への影響、透過水への影響、酸化力の比較試験］
以下の条件で、逆浸透膜装置の原水に、組成物ａ〜ｇを添加して、ＲＯ膜の排除率への影響、透過水への影響、酸化力を比較した。
【００８３】
（試験条件）
・試験装置：平膜試験装置
・分離膜：日東電工（株）製、ポリアミド系高分子逆浸透膜  ＥＳ２０
・運転圧力：０．７５ＭＰａ
・原水：相模原井水（ｐＨ７．２、導電率２４０μＳ／ｃｍ）
・薬剤：組成物ａ〜ｇを、有効ハロゲン濃度（有効塩素換算濃度）として１０ｍｇ／Ｌとなるように添加
【００８４】
（評価方法）
・ＲＯ膜の排除率への影響：３０日通水後の導電率排除率（％）
（１００−［透過水導電率／給水導電率］×１００）
・透過水への影響：薬剤添加１時間後の透過水中の有効ハロゲン濃度（有効塩素換算濃度、ｍｇ／Ｌ）を、残留塩素測定装置（Ｈａｃｈ社製、「ＤＲ−４０００」）を使用してＤＰＤ法により測定
・酸化力：１時間後の給水の酸化還元電位（ＯＲＰ）を、酸化還元電位測定装置（東亜ＤＫＫ製、ＲＭ−２０Ｐ型ＯＲＰ計）を使用して測定
【００８５】
［殺菌力の比較試験］
以下の条件で、模擬水に組成物ａ〜ｇを添加して、殺菌力を比較した。
【００８６】
（試験条件）
・水：相模原井水に普通ブイヨンを添加し、一般細菌数が１０５ＣＦＵ／ｍｌとなるよう調整した模擬水
・薬剤：組成物ａ〜ｇを、有効ハロゲン濃度（有効塩素換算濃度）として１ｍｇ／Ｌとなるよう添加（有効ハロゲン濃度の測定方法：残留塩素測定装置（Ｈａｃｈ社製、「ＤＲ−４０００」）を使用してＤＰＤ法により測定）
【００８７】
（評価方法）
・薬剤添加後２４時間後の一般細菌数を菌数測定キット（三愛石油製、バイオチェッカーＴＴＣ）を使用して測定
【００８８】
試験結果を表２に示す。
【００８９】
【表２】
0006534524.tif 000003
【００９０】
組成物ａ〜ｄは、高いＲＯ膜の排除率を保持し、透過水の有効ハロゲン濃度（有効塩素換算濃度）も低く、酸化力、殺菌力も高かった。組成物ａ〜ｄの中では、組成物ａが、最も高いＲＯ膜の排除率を保持し、透過水の有効ハロゲン濃度（有効塩素換算濃度）が最も低かった。
【００９１】
組成物ｅは、酸化力、殺菌力は高いものの、ＲＯ膜の排除率が低下し、透過水の有効ハロゲン濃度（有効塩素換算濃度）も高かった。組成物ｆは、酸化力、殺菌力は高いものの、透過水の有効ハロゲン濃度（有効塩素換算濃度）が高かった。組成物ｇは、ＲＯ膜の排除率はほとんど低下しておらず、透過水の有効ハロゲン濃度（有効塩素換算濃度）も低いものの、酸化力が低く、殺菌力も低かった。
【００９２】
このように、ナノろ過膜を用いる膜ろ過処理の後に逆浸透膜処理を行うろ過処理システムにおけるナノろ過膜処理の前段に、ナノろ過膜を透過する上記スライム抑制剤を供給することにより、逆浸透膜の劣化、処理水の水質悪化を抑制し、十分なスライム抑制効果を得ることができることがわかった。
【００９３】
［透過水の臭素酸イオンの濃度の比較実験］
組成物調製時の窒素ガスパージの有無による透過水の臭素酸イオンの濃度を比較した。
【００９４】
＜安定化次亜臭素酸組成物ａ’の調製＞
安定化次亜臭素酸組成物ａと同様にして、窒素雰囲気下で、液体臭素：１７重量％（ｗｔ％）、スルファミン酸：１０．７重量％、水酸化ナトリウム：１２．９重量％、水酸化カリウム：３．９５重量％、水：残分を混合して、組成物ａ’を調製した。組成物ａ’のｐＨは１４、有効ハロゲン濃度（有効塩素換算濃度）は７．５重量％であり、臭素酸濃度は５ｍｇ／ｋｇ未満であった。
【００９５】
＜安定化次亜臭素酸組成物ｈの調製＞
窒素パージを行わず、大気下で、液体臭素：１７重量％（ｗｔ％）、スルファミン酸：１０．７重量％、水酸化ナトリウム：１２．９重量％、水酸化カリウム：３．９５重量％、水：残分を混合して、組成物ｈを調製した。組成物ｈのｐＨは１４、有効ハロゲン濃度（有効塩素換算濃度）は７．４重量％であり、臭素酸濃度は６３ｍｇ／ｋｇであった。
【００９６】
（試験条件）
・試験装置：平膜試験装置
・分離膜：日東電工（株）製、ポリアミド系高分子逆浸透膜  ＥＳ２０
・運転圧力：０．７５ＭＰａ
・原水：相模原井水（ｐＨ７．２、導電率２４０μＳ／ｃｍ）
・薬剤：安定化次亜臭素酸組成物ａ’，ｈを、有効ハロゲン濃度（有効塩素換算濃度）として５０ｍｇ／Ｌとなるように添加
【００９７】
（評価方法）
・透過水の臭素酸イオン濃度を、イオンクロマトグラフ−ポストカラム吸光光度法で測定した。
【００９８】
試験結果を表３に示す。
【００９９】
【表３】
0006534524.tif 000004
【０１００】
安定化次亜臭素酸組成物ａ’では、給水、透過水中の臭素酸イオン濃度は１μｇ／Ｌ未満であった。安定化次亜臭素酸組成物ｈでは、給水、透過水中の臭素酸イオン濃度は、安定化次亜臭素酸組成物ａ’に比べて高かった。
【符号の説明】
【０１０１】
１，３  ろ過処理システム、１０  原水槽、１２  ナノろ過膜処理装置、１４  逆浸透膜処理装置、１６  ナノろ過膜透過水槽、１８，２０  ポンプ、２４  原水配管、２６  原水供給配管、２８  ナノろ過膜透過水配管、３０  ナノろ過膜透過水供給配管、３２  逆浸透膜透過水配管、３４，４６  ナノろ過膜濃縮水配管、３６，４８  逆浸透膜濃縮水配管、３８  スライム抑制剤供給配管、４２，４４  濃縮水返送配管。
【図１】
0006534524.tif 000005
【図２】
0006534524.tif 000006